(57)【要約】【課題】浴室内に広い範囲に亘り映像を歪むことなく投影できる映像投影装置が設置された浴室を提供する。【解決手段】映像投影装置７が設置された浴室１において、映像投影装置７から投影される映像が浴室１を形成する交差する壁面８，９間に亘って映し出されるように構成され、交差する壁面８，９間はアーチ状パネル１０が設けられて曲面に形成されている。【選択図】図１
2009114657.tif 000002
【特許請求の範囲】
【請求項１】
映像投影装置が設置された浴室において、
前記映像投影装置から投影される映像が、浴室を形成する交差する壁面間に亘って映し出されるように構成され、
前記交差する壁面間が曲面に形成されていることを特徴とする浴室。
【請求項２】
前記映像投影装置と浴室内の照明器が連動する機能を備えたことを特徴とする請求項１に記載の浴室。
【発明の詳細な説明】
【技術分野】
【０００１】
本発明は、映像投影装置が設置された浴室に関するものである。
【背景技術】
【０００２】
従来、特許文献１に開示されているように、照明装置から浴室の天井面に光を当て、天井面を演出できるように構成した浴室が存在する。
【特許文献１】特開平５−８６７３８号公報
【発明の開示】
【発明が解決しようとする課題】
【０００３】
上記特許文献１に開示されているものは浴室の照明装置であって、映像を投影するものではなく、また、天井面と側壁面の継ぎ目に関しては何ら意識されていないものであった。
【課題を解決するための手段】
【０００４】
本発明は、映像が歪むことなく投影される浴室を提供することを目的の１つとし、この目的の少なくとも一部を達成するために以下の手段を採った。
本発明は、映像投影装置が設置された浴室において、前記映像投影装置から投影される映像が浴室を形成する交差する壁面間に亘って映し出されるように構成され、前記交差する壁面間が曲面に形成されていることを要旨とする。
【発明の効果】
【０００５】
浴室の交差する壁面間が曲面に形成されているため、映像投影装置から交差する壁面間に亘って映像が投影された場合に、曲面に沿ってピントが合うため映像が歪んでしまうことがなく、リアリティーな映像を浴室内に投影することができ、浴室空間に奥行きが生まれて浴室の空間演出が良好に行われるものである。
【０００６】
また、このような映像投影装置が設置された浴室において、前記映像投影装置と浴室内の照明器が連動する機能を備えた構成とすることもできる。
こうすれば、映像装置をＯＮにすると、例えばゆっくりと浴室内の照明器が消灯し、徐々に浴室内を暗くでき、暗闇に目がなじみやすく、映像投影装置から良好に映像を投影させて楽しむことができるものとなる。
【発明を実施するための最良の形態】
【０００７】
次に、本発明を実施するための最良の形態を実施例を用いて説明する。
図１は、浴室の概略斜視構成図である。
この浴室１内には浴槽２と洗い場３が形成されており、洗い場３側の壁面には、カウンター４が略水平に洗い場３側へ突出して設けられており、カウンター４の上方には鏡５や照明器６が設けられている。
【０００８】
この浴室１は、その側面が複数の壁パネル８を連結させて構成されており、また、天井パネル９により天井が形成されている。また、浴室１内のカウンター４の浴槽２側下方に映像投影装置７が設置されており、この映像投影装置７からの、例えば星の映像を、壁パネル８と天井パネル９間に亘って映し出すことができるように構成されている。
壁パネル８と天井パネル９が交差するコーナー部には、アーチ状パネル１０が設けられて、壁パネル８と天井パネル９間が、このアーチ状パネル１０により連続する曲面に形成されている。アーチ状パネル１０は、映像投影装置７からの映像がピントが合うようなアーチ状曲面に設定されている。
このアーチ状パネルの部分の拡大縦断面構成図を図２に示す。
【０００９】
天井パネル９と壁パネル８の交差するコーナー部には、アーチ状パネル１０が設けられるが、このアーチ状パネル１０は、上端が天井パネル９に当接状に、また下端が壁パネル８に当接状となるように、留め金１１を介してコーナー部に設置されている。
留め金１１は、天井パネル９の内面に当接する水平片１１ａと、壁パネル８の内側に当接する垂直片１１ｂで断面Ｌ字状に一体形成され、垂直片１１ｂの下端には、鋭角に上方へ折り返して折り返し片１１ｃが一体形成されており、また、水平片１１ａの図示左端側にも鋭角に折り返して折り返し片１１ｄが一体形成されている。
【００１０】
ビス１２，１２を用いて、水平片１１ａを天井パネル９に固定し、垂直片１１ｂを壁パネル８に固定して、留め金１１をコーナー部に取り付け、この留め金１１の折り返し片１１ｃ，１１ｄに室内側よりアーチ状パネル１０を当接させて、ビス１２，１２をそれぞれ用いてアーチ状パネル１０の上下端側を折り返し片１１ｃ，１１ｄに固定し、アーチ状パネル１０をコーナーに取り付けることができるものである。
【００１１】
なお、浴槽２側のカウンター４の下側に設置されている映像投影装置７は、例えば図３に断面概略構成図で示すような構造のものである。
図３において、映像投影装置７は、家庭用プラネタリウム７ａで構成されており、家庭用プラネタリウム７ａには投影レンズ部７ｂが設けられており、底側には支持台７ｃが設けられている。この家庭用プラネタリウム７ａは、蓋体７０で水密状に包囲されており、蓋体７０の傾斜面７０ａには、外周を防水処理した透明アクリル板７１が、投影レンズ部７ｂと整合する位置に取り付けられている。
【００１２】
なお、蓋体７０は壁取付用防水ボックス７２に取り付けられており、この壁取付用防水ボックス７２は垂直部７２ａと水平部７２ｂで略Ｌ字状に構成され、垂直部７２ａの上端には、前方側へ延び且つ上方へ突出して係止片７２ｃが形成されており、この係止片７２ｃが、蓋体７０の裏側に突出されている係合部７０ｂ内に係合されるものである。
壁取付用防水ボックス７２の垂直部７２ａを壁パネル８にビス１２で固設し、垂直部７２ａの上部にシーリング材７３を塗布して防水処理が成されるものである。
この壁取付用防水ボックス７２の水平部７２ｂの前端に蓋体７０の前面下部がビス１２で止め付けられて、壁取付用防水ボックス７２に蓋体７０が水密状に取り付けられるものである。
【００１３】
なお、壁取付用防水ボックス７２および壁パネル８には、コード取付孔Ｈを形成させておき、家庭用プラネタリウム７ａから延びる電源コード７ｄを、このコード取付孔Ｈ内を通して浴室１の外側に配設して、浴室外側のジョイントボックス７４に電源コード７ｄを接続することができるものである。
【００１４】
この映像投影装置７は、投影レンズ部７ｂから透明アクリル板７１を通して星空の映像を壁パネル８および天井パネル９のほぼ全域に亘って投影することができるものであり、壁パネル８と天井パネル９の交差するコーナー部にはアーチ状パネル１０が設けられているため、壁パネル８および天井パネル９およびアーチ状パネル１０の全面に亘って星空の映像が歪むことなく良好にピントが合った状態で投影されるものであり、星の映像にリアリティーが増し、映像が投影された空間に奥行きが生まれるものである。
【００１５】
このように天井パネル９と壁パネル８のほぼ全域に亘り星空の映像が映し出されることで、浴室内の質の良い空間演出が成される。
なお、映像投影装置７は浴槽２の近くに設置されているため、浴槽２内に入浴中でも良好に映像投影装置７を操作することができ、操作性が高いものとなっている。
さらに、この映像投影装置７は浴室１内に設けられているランプや照明器６と連動するように構成されている。
【００１６】
図４では、映像投影装置７が使用された後に、映像投影装置７の電源スイッチがＯＦＦとなった時には、浴室１内の照明器６の電源スイッチがＯＮとなり、照明器６がゆっくりと点灯するように構成されている。
【００１７】
また、図５のように、浴室内で星空を投影させる時に、映像投影装置７の電源スイッチをＯＮにすると、浴室内の照明器６の電源スイッチがＯＦＦとなり、照明器６がゆっくりと消灯するように設定されており、徐々に浴室１内が暗くなるために暗闇に目がなじみやすくなり、安全に壁パネル８および天井パネル９に映し出される星空を楽しむことができるものとなる。
【図面の簡単な説明】
【００１８】
【図１】映像投影装置を備えた浴室の概略斜視構成図である。
【図２】浴室を構成する壁パネルと天井パネルのコーナー部にアーチ状パネルを設けた拡大縦断面構成図である。
【図３】映像投影装置の一例を示す拡大概略構成図である。
【図４】映像投影装置と浴室内の照明器の連動状態を示す説明図である。
【図５】映像投影装置と浴室内の照明器の連動状態を示す説明図である。
【符号の説明】
【００１９】
１  浴室
２  浴槽
３  洗い場
４  カウンター
６  照明器
７  映像投影装置
７ａ  家庭用プラネタリウム
７ｂ  投影レンズ部
７ｄ  電源コード
８  壁パネル
９  天井パネル
１０  アーチ状パネル
１１  留め金
１１ｃ，１１ｄ  折り返し片
７０  蓋体
７１  透明アクリル板
７２  壁取付用防水ボックス
Ｈ  コード取付孔
【図１】
2009114657.tif 000003
【図２】
2009114657.tif 000004
【図３】
2009114657.tif 000005
【図４】
2009114657.tif 000006
【図５】
2009114657.tif 000007